(57)【要約】 【課題】壁面取り付けでも作動性が悪化しない直動案内軸受を提供する。【解決手段】外面に摺動面と転動体の転動面が形成された案内レールと、前記案内レールの前記摺動面及び前記軌道面と対向する摺動面及び軌道面を有し前記案内レールに対して軸方向に相対移動可能に配置されたスライダと、前記案内レールの軌道面と前記スライダの軌道面との間に転動自在に配置される転動体と、前記スライダに固定されて、前記案内レールの摺動面と摺動自在に配置される摺動部材とを有する。 【選択図】図１
2017150554.tif 000002
【特許請求の範囲】
【請求項１】
外面に摺動面と転動体の転動面が形成された案内レールと、前記案内レールの前記摺動面及び前記軌道面と対向する摺動面及び軌道面を有し前記案内レールに対して軸方向に相対移動可能に配置されたスライダと、前記案内レールの軌道面と前記スライダの軌道面との間に転動自在に配置される転動体と、前記スライダに固定されて、前記案内レールの摺動面と摺動自在に配置される摺動部材とを有する直動案内軸受。
【発明の詳細な説明】
【技術分野】
【０００１】
本発明は、直動案内装置に関する。
【背景技術】
【０００２】
図４に示す従来の直動案内装置は、案内レールとスライダと複数の転動体とを有し、転動体を介して案内レールに対してスライダが移動する装置である。案内レール及びスライダは、互いに対向する位置に、転動体の負荷転動路を形成する軌道面をそれぞれ有する。軌道面は案内レールの長手方向に沿って延びている。
スライダは、軌道面と転動体の戻し路が形成されたスライダ本体と、スライダ本体の移動方向両端に固定されたエンドキャップと、リターンガイドからなる。エンドキャップのスライダ本体側の面に方向転換路用凹部が形成されている。リターンガイドは、エンドキャップの方向転換路用凹部と共に方向転換路を形成する。複数のボールは、負荷転動路と戻し路と方向転換路で構成される循環経路内に配置されている。また、エンドキャップには、２つの循環経路に潤滑油を給油するための給油孔と、２つの循環経路それぞれと給油孔との間に油路が形成されている。
【発明の概要】
【発明が解決しようとする課題】
【０００３】
この様な構成の直動案内装置を、図５（ａ）のように壁面取り付けで使用する場合、案内方向に対して上方にある循環経路の負荷転動路と、下方にある循環経路の負荷転動路とでは負荷の掛かり方が不均等になる。たとえば、直動案内装置が案内支持する負荷は、上方にある負荷転動路に掛かる。上方の循環経路では、負荷転動路よりも上方に戻し路が一するため、転動体が負荷転動路側に密になりやすく、負荷を受ける転動体同士が接触して作動性が悪化したり、寿命が低下したりする恐れがあるという課題があった。
【０００４】
本発明は、上記課題に鑑みて成されたものであり、その目的は、壁掛け姿勢により使用される場合であっても、良好な作動性が得られる直動案内装置を提供することである。
【課題を解決するための手段】
【０００５】
上記の目的を達成するために、本発明に係る直動案内軸受装置は、外面に摺動面と転動体の転動面が形成された案内レールと、前記案内レールの前記摺動面及び前記軌道面と対向する摺動面及び軌道面を有し前記案内レールに対して軸方向に相対移動可能に配置されたスライダと、前記案内レールの軌道面と前記スライダの軌道面との間に転動自在に配置される転動体と、前記案内レールの手動面と、前記スライダの摺動部との間に摺動自在に配置される摺動部材とを有することを特徴とする。
【発明の効果】
【０００６】
本発明によれば、壁掛け姿勢により使用される場合であっても、案内軸に対して上方が滑り案内、下方が転がり案内のため、良好な作動性が得られる直動案内装置を提供することができる。
【図面の簡単な説明】
【０００７】
【図１】本発明による直動案内軸受の実施形態を示す平面図である。
【図２】図１の正面図である。
【図３】本発明の直動案内軸受の実施態様の変形例を示す正面図である。
【図４】本発明の直動案内軸受の実施態様の変形例を示す正面図である。
【発明を実施するための形態】
【０００８】
本発明の実施形態を以下に説明する。本実施形態は、本発明の技術的思想を具体化するための手段を例示するものであって、本発明の技術的思想を構成部品の材質、形状、構造、配置等を以下の記載に特定するものではない。本発明の技術的思想は、特許請求の範囲に記載された請求項が規定する技術的範囲内において、種々の変更を加えることができる。
【０００９】
図１は、本実施形態の直動案内軸受１０の正面図、図２は平面図である。直動案内軸受１０は、案内レール１と、案内レール１と案内方向に移動可能に支持されたスライダ２と、案内レール１とスライダ２との間で転動可能に配置された複数の転動体３と、案内レール１とスライダ２との間に配置されて、案内レール１と摺動可能にスライダ２に固定された摺動部材４と、から構成される。
【００１０】
案内レール１は、図２における上側端面にすべり案内溝１ａ、下側端面に転がり案内溝１ｂが形成され、左側端面には取り付け面１ｃを備える。すべり案内溝１ａ、転がり案内溝１ｂは、共に案内レール１の軸方向全長に亘って形成されている。スライダ２は、案内レール１に跨るようなコ字状の断面形状を有するスライダ本体２ａと、スライダ本体２ａの両端に取り付けられるエンドキャップ２ｂから構成され、滑り案内溝１ａと対向する面に摺動部材４を固定する固定溝２ｃが、転がり案内溝１ｂと対向する面に転動溝２ｄが形成されている。転がり案内溝１ｂと転動溝２ｄとで転動体３が負荷を受けて転動する転動路が形成される。
【００１１】
スライダ本体２ａには、転動路を転動する転動体３を循環させるために、スライダ本体２ａを軸方向に貫通する戻り路２ｅが形成されている。また、エンドキャップ２ｂには転動路と戻り路２ｅとを接続するための方向転換路２ｇが形成されており、転動路と戻り路２ｅと方向転換路２ｇとで、転動体３の循環路が形成されている。摺動部材４は、固定溝２ａに固定されてすべり案内溝１ａと摺動する。これにより、案内レールを挟んで一方は転がり案内機構Ｒ、他方には滑り案内機構Ｓが形成される。
【００１２】
上記実施形態において、滑り案内機構Ｓの滑り案内溝１ａはＶ字形状、摺動部材４の断面形状は菱形であるが、本発明の趣旨を逸脱しない範囲で変形が可能である。例えば、図３に示すように、滑り案内溝１ａを略半円形状、摺動部材４の断面形状を円としても良い。また、図４に示すように、滑り案内機構Ｓの滑り案内溝１ａの本数を２本以上としても良い。さらには、図５に示すように、滑り案内溝１ａの形状を、ころがり案内溝１ｂと同じ構成、形状としても良い。
【００１３】
上記構成の直動案内軸受は滑り案内側を上方に、転がり案内側を下方となる向きで使用することで、スライダ２に掛かる荷重は滑り案内機構側が受けるため、転がり案内機構の転動体循環路には荷重がかかることが無く、作動性の悪化を防止することが出来る。
【符号の説明】
【００１４】
１    案内レール
１ａ  滑り案内溝
１ｂ  転がり案内溝
２    スライダ
２ａ  スライダ本体
２ｂ  エンドキャップ
３    転動体
４    摺動部材
１０  直動案内軸受
Ｒ    転がり案内機構
Ｓ    滑り案内機構
【図１】
2017150554.tif 000003
【図２】
2017150554.tif 000004
【図３】
2017150554.tif 000005
【図４】
2017150554.tif 000006